(57)【要約】      （修正有）【課題】家電の特性に応じた報知方法を行う事で、より効果的に不在着信や未読メールなどを報知する。【解決手段】充電器に設置された状態の携帯電話機において、不在着信や未読メールがある場合には、同じ空間にある家電の電源ＯＦＦ操作を充電器に設置された携帯電話機が監視し、携帯電話機は家電の特性に応じた動作、電灯など視覚で確認できる特徴を持つ家電の電源ＯＦＦ時には周囲が暗くなる為、表示ＬＥＤの点滅など視覚的な効果の報知方法を、また、テレビ受像機やオーディオ機器など聴覚で確認できる特徴を持つ家電では周囲の雑音が無くなり静かになる為、メッセージのアナウンスなど聴覚的な効果の報知方法を行う事で、より効果的に不在着信や未読メールを報知することが可能となる。【選択図】図１
2008182335.tif 000002
【特許請求の範囲】
【請求項１】
家電の操作に応じて、前記家電の特性に対応する報知手段を動作させて自端末にある情報を報知することを特徴とする携帯端末。
【請求項２】
充電器に設置され、不在着信や未読メールがある場合には、周りの家電の電源ＯＦＦ操作状態を監視して、視覚で確認できる特徴を持つ家電の電源ＯＦＦ時には、表示ＬＥＤの点滅など視覚的な効果の報知方法を、また、聴覚で確認できる特徴を持つ家電の電源ＯＦＦ時には、メッセージのアナウンスなど聴覚的な効果の報知方法を行うことを特徴とする請求項１記載の携帯端末。
【請求項３】
家電の操作に応じて、携帯端末にある情報を報知する報知システムであって、
前記携帯端末は前記家電の特性に対応する報知手段を動作させることを特徴とする報知システム。
【請求項４】
充電器に設置された携帯端末において、不在着信や未読メールがある場合には、周りの家電の電源ＯＦＦ操作状態を監視して、視覚で確認できる特徴を持つ家電の電源ＯＦＦ時には、表示ＬＥＤの点滅など視覚的な効果の報知方法を、また、聴覚で確認できる特徴を持つ家電の電源ＯＦＦ時には、メッセージのアナウンスなど聴覚的な効果の報知方法を行うことを特徴とする請求項３記載の報知システム。
【請求項５】
携帯端末が、家電の操作情報を受け付けるステップと、
前記家電の特性に対応する報知手段を動作させ自端末にある情報を報知するステップとを有することを特徴とする報知方法。
【請求項６】
充電器に設置された携帯端末が、不在着信や未読メールがある場合には、周りの家電の電源ＯＦＦ操作状態を監視して、視覚で確認できる特徴を持つ家電の電源ＯＦＦ時には、表示ＬＥＤの点滅など視覚的な効果の報知方法を、また、聴覚で確認できる特徴を持つ家電の電源ＯＦＦ時には、メッセージのアナウンスなど聴覚的な効果の報知方法を行うことを特徴とする請求項５記載の報知方法。
【請求項７】
コンピュータシステムに請求項１または２記載の機能を実現させることを特徴とするプログラム。
【発明の詳細な説明】
【技術分野】
【０００１】
本発明は、同じ空間にある家電の電源ＯＦＦ操作状態を充電器に設置された携帯端末が監視する技術に関する。
【背景技術】
【０００２】
携帯電話機に離席中の不在着信や未読メールがある場合には、一定間隔でのＬＥＤ点灯による報知を行っているが、ＬＥＤの点灯を確認する煩わしさや確認を忘れることにより大切な用件が伝わらないという問題が起こり得る。
【０００３】
また、従来技術として、近距離無線通信機能を用い携帯電話機の着信をテレビ受像機にて報知を行う事を提案したものがある(例えば、特許文献１参照)。
【０００４】
また、例えば、特許文献２(図５参照)にて、家電の操作が行われると信号ラインに変化を与え、携帯電話機は予め設定された動作を行う報知方法を提案したものがある。
【特許文献１】特開２００２−３５９６７０号公報
【特許文献２】特開２００５−１８４１６２号公報
【発明の開示】
【発明が解決しようとする課題】
【０００５】
しかしながら、上記特許文献１は着信時の報知を目的としており、不在着信や未読メールを使用者に報知することを目的とはしていない。
【０００６】
また、特許文献２については、各家電の特性である、視覚で確認できる特徴や聴覚で確認できる特徴などに応じたより効果的な報知方法が必要である。
【０００７】
本発明は、以上説明した問題点を解決するためになされたものである。その目的は、家電の特性に応じた報知方法を行う事で、より効果的に不在着信や未読メールなどを報知することである。
【課題を解決するための手段】
【０００８】
本発明は、家電の操作に応じて、家電の特性に対応する報知手段を動作させて自端末にある情報を報知する携帯端末を提供する。
【０００９】
また、本発明は、家電の操作に応じて、携帯端末にある情報を報知する報知システムであって、
携帯端末は家電の特性に対応する報知手段を動作させる報知システムを提供する。
【００１０】
また、本発明は、携帯端末が、家電の操作情報を受け付けるステップと、
家電の特性に対応する報知手段を動作させ自端末にある情報を報知するステップとを有する報知方法を提供する。
【発明の効果】
【００１１】
本発明によれば、家電の特性に応じた報知方法を行う事で、より効果的に不在着信や未読メールなどを報知することができる。
【発明を実施するための最良の形態】
【００１２】
以下、本発明の第１の実施の形態について図面を参照して詳細に説明する。本実施の形態にかかる報知システムの構成を示す図１および携帯電話機の構成図である図２を参照して説明する。
【００１３】
本報知システムは、構成として、携帯電話機(１０１)、充電器(１０２)、電流測定器付き信号送信機(１０３−Ａ〜Ｃ)、家電(１０４−Ａ〜Ｃ)、信号線入り電源コード(１０５)、コンセント部(１０６)、信号ライン(１０７)、および、携帯電話機(１０１)の構成として、充電部(２０１)、信号受信部(２０２)、メモリ部(２０３)、スピーカー部(２０４)、着信・表示ＬＥＤ部(２０５)、制御部(２０６)によって構成される。
【００１４】
充電部(２０１)は携帯電話機(１０１)を充電器(１０２)に設置することで、携帯電話機(１０１)の充電を行う。
【００１５】
信号受信部(２０２)は信号ライン(１０７)の変化を監視する。
【００１６】
スピーカー部(２０４)はメッセージのアナウンスを行う。
【００１７】
メモリ部(２０３)は装置全体の設定の格納、および、不在着信や未読メールの有無を記憶する。
【００１８】
ＬＥＤ部(２０５)は着信および表示用ＬＥＤの点灯、消灯、点滅処理を行う。
【００１９】
制御部(２０６)は、装置全体の制御、および、メモリ部(２０３)の状態を確認し不在着信や未読メールがある場合には、信号受信部(２０２)の状態を確認し、信号に変化がある場合には、受信した信号より電源ＯＦＦ操作された家電が視覚的な家電か聴覚的な家電かを識別し、視覚で確認できる特徴を持つ家電の電源ＯＦＦ操作では着信・表示ＬＥＤ部(２０５)の点滅処理を行う、また、聴覚で確認できる特徴を持つ家電の電源ＯＦＦ操作ではスピーカー部(２０４)よりメッセージの鳴音を行う。
【００２０】
携帯電話機(１０１)は上記機能を(２０１)〜(２０６)を備えている。
【００２１】
充電器(１０２)は携帯電話機(１０１)の充電を行う。
【００２２】
電流測定器付き信号送信機(１０３−Ａ〜Ｃ)は、予め、視覚で確認できる特徴を持つ家電か、聴覚で確認できる特徴を持つ家電かで出力する信号列を設定することができ、各家電(１０４−Ａ〜Ｃ)の状態を監視して電源ＯＦＦ操作が行われた場合には信号ライン(１０７)に変化を発生させる。
【００２３】
家電(１０４−Ａ〜Ｃ)は信号線入り電源コード(１０５)で信号ライン(１０７)に接続されている。なお、本実施の形態では家電Ａ：テレビ受像機(１０４−Ａ)、家電Ｂ：電灯(１０４−Ｂ)、家電Ｃ：その他家電(１０４−Ｃ)とする。
【００２４】
信号ライン(１０７)は信号線が内部に追加された電源コード(１０５)により、コンセント部(１０６)を介して、ある空間毎、例えば、ある部屋単位などで構成される。
【００２５】
次に、本実施の形態の動作を図１、図２および図３のフローチャートを参考に説明する。
【００２６】
まず、携帯電話機(１０１)が充電器(１０２)に設置された状態(ステップ３０１)で、メモリ部(２０３)の状態を確認し不在着信や未読メールがある場合には(ステップ３０２でＹｅｓ)、制御部(２０６)は信号受信部(２０２)の状態の監視を始める。
【００２７】
同一空間内の家電(１０４−Ａ〜Ｃ)に電源ＯＦＦ操作が行われると(ステップ３０３でＹｅｓ)、電流測定器付き信号送信機(１０３−Ａ〜Ｃ)から信号が送信されて信号ライン(１０７)に変化が発生する(ステップ３０４)。ここで、信号ライン(１０７)は信号線が内部に追加された電源コード(１０５)により、コンセント部(１０６)を介して、ある空間毎、例えば、ある部屋単位などで構成されるので制御部(２０６)は空間毎に監視可能である。
【００２８】
制御部(２０６)は信号受信部(２０２)の変化を確認し、電源ＯＦＦされた家電が視覚で確認できる特徴を持つ家電かを識別する。
【００２９】
ここで、視覚で確認できる特徴を持つ家電の場合(ステップ３０６で“１”)には、制御部(２０６)からの指令に基づいてＬＥＤ部(２０５)にてＬＥＤ部(２０５)の点滅処理を行う(ステップ３０６)。
【００３０】
一方、聴覚で確認できる特徴を持つ家電の場合(ステップ３０６で“２”)には、制御部(２０６)からの指令に基づいてスピーカー部(２０４)よりメッセージのアナウンスや着信音鳴音などを行う(ステップ３０７)。
【００３１】
上記の本実施の形態によれば、充電器に設置された状態の携帯電話機において、不在着信や未読メールがある場合には、同じ空間にある家電が電源ＯＦＦ操作を充電器に設置された携帯電話機が監視し、家電の操作が行われた場合には同じ空間に、しいては同じ部屋に使用者がいると認識する。
【００３２】
携帯電話機は家電の特性(視覚で確認できる特徴、聴覚で確認できる特徴)に応じた動作、電灯など視覚で確認できる特徴を持つ家電の電源ＯＦＦ時には周囲が暗くなる為、表示ＬＥＤの点滅など視覚的な効果の報知方法を、また、テレビ受像機やオーディオ機器など聴覚で確認できる特徴を持つ家電では周囲の雑音が無くなり静かになる為、メッセージのアナウンスなど聴覚的な効果の報知方法を行う事で、より効果的に不在着信や未読メールを報知することが可能となる。
【００３３】
次に、本発明の第２の実施の形態について説明する。信号送信機の出力する信号列を家電毎に設定することなく、動作を実現する構成である。
【００３４】
図４の構成図を参照すると、図１の上記の第１の実施形態の構成図における信号ライン(１０７)に代わり、信号ラインＡとＢ(５０７−ＡとＢ)を用い、また、コンセント部(５０６)に代わり、コンセント部Ａ〜Ｃ(５０６−Ａ〜Ｃ)を用いた構成図である。
【００３５】
コンセント部Ａ（５０７-Ａ）と信号ラインＡ(５０７-Ａ)は視覚で確認できる特徴を持つ家電の電源コードを接続する。
【００３６】
コンセント部Ｂ（５０７-Ｂ）と信号ラインＢ(５０７-Ｂ)は聴覚で確認できる特徴を持つ家電の電源コードを接続する。
【００３７】
コンセント部Ｃ(５０７-Ｃ)携帯電話機の電源コードを接続し、かつ、信号ラインＡ、Ｂともに接続されている。
【００３８】
視覚で確認できる特徴を持つ家電が電源ＯＦＦされた場合には、信号ラインＡ(５０７-Ａ)に変化が発生する。また、聴覚で確認できる特徴を持つ家電が電源ＯＦＦされた場合には、信号ラインＢ(５０７-Ｂ)に変化が発生する。上記の変化を携帯電話機の制御部は識別し、信号ラインＡの変化では視覚的な動作を、また、信号ラインＢの変化では聴覚的な動作をと、変化に応じた動作を実施する。
【００３９】
なお、上述する各実施の形態は、本発明の好適な実施の形態であり、本発明の要旨を逸脱しない範囲内において種々変更実施が可能である。例えば、携帯電話機の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００４０】
【図１】本発明の第１の実施の形態の報知システムの構成図である。
【図２】本発明の第１の実施の形態の携帯電話機の構成図である。
【図３】本発明の第１の実施の形態の処理動作のフローチャートである。
【図４】本発明の第２の実施の形態の報知システムの構成図である。
【図５】従来の報知システムを示す図である。
【符号の説明】
【００４１】
１０１    携帯電話機
１０２    充電器
１０３−Ａ〜Ｃ    電流測定器付き信号送信機
１０４−Ａ〜Ｃ    家電
１０５    信号線入り電源コード
１０６    コンセント部
１０７    信号ライン
２０１    充電部
２０２    信号受信部
２０３    メモリ部
２０４    スピーカー部
２０５    着信・表示ＬＥＤ部
２０６    制御部
【図１】
2008182335.tif 000003
【図２】
2008182335.tif 000004
【図３】
2008182335.tif 000005
【図４】
2008182335.tif 000006
【図５】
2008182335.tif 000007